(57)【要約】本発明は、成人だけでなく障害者および幼少年も安全に利用することが可能な水遊び施設を提供することを可能にする、水上ウォーキングステージシステムを提供する。本発明の水上ウォーキングステージシステムは、水面に浮遊する両方の浮遊体（１０、１０’）と、両方の前記浮遊体の下部に連結されて足踏み板をなすウォーキングステージ（２０）と、前記ウォーキングステージの両側と両方の前記浮遊体とを連結する欄干部（３０、３０’）とを含んでなる。前記ウォーキングステージは、水面に浮遊する前記浮遊体によって、水面下の水中に浸かって位置するように支持される。
2011508702.tif 000002
【特許請求の範囲】
【請求項１】
水面に浮遊する両方の浮遊体と、
両方の前記浮遊体の下部に連結されて足踏み板をなすウォーキングステージと、
前記ウォーキングステージの両側と両方の前記浮遊体とを連結する欄干部とを含んでなり、
前記ウォーキングステージは、水面に浮遊する前記浮遊体によって、水面下の水中に浸かって位置するように支持されることを特徴とする、水上ウォーキングステージシステム。
【請求項２】
前記浮遊体は、発泡樹脂材、または気体収容空間部の浮力部材からなり、前記浮遊体の内部には安全連結体が内部材として備えられ、前記浮遊体の一側には取っ手部が備えられ、
前記欄干部は網体または多孔の板体からなることを特徴とする、請求項１に記載の水上ウォーキングステージシステム。
【請求項３】
前記浮遊体、前記欄干部または前記ウォーキングステージの少なくとも一つには前記浮遊体、前記欄干部または前記ウォーキングステージの破損を感知する構造安全感知部材が設置され、
前記構造安全感知部材には前記浮遊体、前記欄干部または前記ウォーキングステージの状態を判別するメインコントローラ部が連結され、
前記メインコントローラ部は、前記構造安全感知部材に連結されて感知信号の伝送を受ける安全点検信号処理ブロックと、非常照明またはスピーカへ非常信号を伝送する非常告知信号処理ブロックと、入出力信号を処理する入出力信号処理ブロックと、前記安全点検信号処理ブロック、前記非常告知信号処理ブロックおよび前記入出力信号処理ブロックを制御する主制御部とを含んでなることを特徴とする、請求項１または２に記載の水上ウォーキングステージシステム。
【請求項４】
浮遊体、ウォーキングステージおよび欄干部を含んでなる水上ウォーキングステージシステムを水上に設置し、前記水上ウォーキングステージシステムの一側に構造安全感知部を設置し、メインコントローラ部に連結してシステム作動を準備するシステム作動準備段階、
前記水上ウォーキングステージシステムが作動するとき、前記構造安全感知部材から伝送される信号を安全点検信号処理ブロックを介して受信するセンサー信号受信段階、
前記安全点検信号処理ブロックから受信した信号を判別し、前記構造安全感知部材から伝送された信号が正常信号なのか否かを判別するセンサー信号判別段階、および
前記センサー信号判別段階によって判別された信号が非常信号として判別される場合、前記非常告知信号処理ブロックへ非常信号を伝送して非常照明およびスピーカを介して非常事態を知らせるようにする非常信号発信段階を含むことを特徴とする、請求項１〜３のいずれか１項に記載の水上ウォーキングステージシステムを制御する水上ウォーキングステージシステムの制御方法。
【発明の詳細な説明】
【技術分野】
【０００１】
本発明は、水上ウォーキングステージシステムに係り、より詳しくは、成人だけでなく障害者および幼少年も安全に利用することが可能な水遊び施設を提供することを可能にする、水上ウォーキングステージシステムに関する。
【背景技術】
【０００２】
海洋または川岸で楽しめる活動は、主に、泳ぎをすること、小さなボートに乗ること、あるいはジェットボートなどの水上装備を利用することである。
【０００３】
このような従来の海洋施設は、主に成人を対象としている施設なので、大部分、子供、老弱者および障害者が利用するには無理がある施設である。
【０００４】
特に、例えば海岸のように、気象または周囲環境に応じて利用者が利用し易くない地域の施設は、壮健な成人男性さえ利用し易くない施設が相当ある。
【０００５】
障害者または子供も容易に利用することが可能な海岸施設としての水遊び施設は全くない状態である。よって、障害者または子供も安心して利用することが可能な施設が切実に求められる実情である。
【発明の開示】
【発明が解決しようとする課題】
【０００６】
本発明は、従来の技術の問題点を解決するためになされたもので、その目的は、海浜や川岸、湖岸などの水遊び施設を安全に利用することができるようにすることにある。
【０００７】
本発明の他の目的は、成人だけでなく障害者および幼少年も利用することが可能な海岸の水遊び施設物および淡水の水遊び施設物を提供することにある。
【０００８】
本発明は、単に海辺に沿って歩くことに加えて、安全な状態で海浜、川の水中で安全に水中遊びを行うことができるため、人々が安全且つ有用な水遊び施設を利用することができるという利点がある。
【課題を解決するための手段】
【０００９】
本発明のある観点によれば、水面に浮遊する両方の浮遊体と、両方の前記浮遊体の下部に連結されて足踏み板をなすウォーキングステージと、前記ウォーキングステージの両側と両方の前記浮遊体とを連結する欄干部とを含んでなり、前記ウォーキングステージは、水面に浮遊する前記浮遊体によって、水面下の水中に浸かって位置するように支持されることを特徴とする、水上ウォーキングステージシステムを提供する。
【００１０】
ここで、前記浮遊体は発泡樹脂材、または気体収容空間部の浮力部材からなり、前記浮遊体の内部には安全連結体が内部材として備えられ、前記浮遊体の一側には取っ手部が備えられ、前記欄干部は網体または多孔の板体からなってもよい。
【００１１】
また、前記浮遊体、前記欄干部または前記ウォーキングステージの少なくとも一つには構造安全感知部材が設置され、前記浮遊体、前記欄干部または前記ウォーキングステージの破損を感知する。前記構造安全感知部材には前記浮遊体、前記欄干部または前記ウォーキングステージの状態を判別するメインコントローラ部が連結される。前記メインコントローラ部は、前記構造安全感知部材に連結されて感知信号を受信する安全点検信号処理ブロックと、非常照明またはスピーカへ非常信号を伝送する非常告知信号処理ブロックと、入出力信号を処理する入出力信号処理ブロックと、前記安全点検信号処理ブロック、前記非常告知信号処理ブロックおよび前記入出力信号処理ブロックを制御する主制御部とを含んでなってもよい。
【００１２】
また、前記水上ウォーキングステージシステムを制御する、水上ウォーキングステージシステムの制御方法を提供する。
【００１３】
この方法は、浮遊体、ウォーキングステージおよび欄干部を含んでなる水上ウォーキングステージシステムを水上に設置し、前記水上ウォーキングステージシステムの一側に構造安全感知部を設置し、メインコントローラ部に連結してシステム作動を準備するシステム作動準備段階、
前記水上ウォーキングステージシステムが作動するとき、前記構造安全感知部材から伝送される信号を安全点検信号処理ブロックを介して受信するセンサー信号受信段階、
前記安全点検信号処理ブロックから受信した信号を判別し、前記構造安全感知部材から伝送された信号が正常信号なのか否かを判別するセンサー信号判別段階、および
前記センサー信号判別段階によって判別された信号が非常信号として判別される場合、前記非常告知信号処理ブロックへ非常信号を伝送して非常照明およびスピーカを介して非常事態を知らせるようにする非常信号発信段階を含むことを特徴とする。
【発明の効果】
【００１４】
上述したように、本発明によれば、海の海岸や川岸、湖岸などの水遊び施設を安全に利用することができる。
【００１５】
本発明によれば、成人だけでなく障害者および幼少年も、海岸水遊び施設物および淡水の水遊び施設物を利用することができる。
【００１６】
また、本発明によれば、単に海辺に沿って歩くことに加えて、安全な状態で海浜、川の水中で安全に水中遊びを行うことができるため、人々が安全且つ有用な水遊び施設を利用することができる。
【図面の簡単な説明】
【００１７】
【図１】図１は本発明に係る水上ウォーキングステージシステムが実施された状態を示す概略設置図である。
【図２】図２は本発明に係る水上ウォーキングステージシステムを示す斜視図である。
【図３】図３は本発明に係る水上ウォーキングステージシステムが設置された状態を示す概略平面図である。
【図４】図４は本発明に係る水上ウォーキングステージシステムが設置された状態を示す概略平面図である。
【図５】図５は本発明に係る水上ウォーキングステージシステムの一部分を示す側断面図である。
【図６】図６は本発明に係る水上ウォーキングステージシステムの一実施例を示す横断面図である。
【図７】図７は本発明に係る水上ウォーキングステージシステムの他の実施例を示す横断面図である。
【図８】図８は本発明に係る水上ウォーキングシステムの「Ｕ」字状の実施例を示す平面図である。
【図９】図９は本発明に係る水上ウォーキングステージシステムの半楕円形の実施例を示す平面図である。
【図１０】図１０は本発明に係る水上ウォーキングステージシステムの半円形の実施例を示す平面図である。
【図１１】図１１は本発明に係る水上ウォーキングステージシステムの四角形の実施例を示す平面図である。
【図１２】図１２は本発明に係る水上ウォーキングステージシステムの楕円形の実施例を示す平面図である。
【図１３】図１３は本発明に係る水上ウォーキングステージシステムの円形の実施例を示す平面図である。
【図１４】図１４は本発明に係る水上ウォーキングステージシステムに対する制御構成図である。
【図１５】図１５は本発明に係る水上ウォーキングステージシステムに対する制御流れ図である。
【発明を実施するための形態】
【００１８】
以下、添付図面を参照して詳細に説明する。
【００１９】
図１〜図４は水上ウォーキングステージシステムに対して全体的に概略的な例示図をそれぞれ示す。具体的に、図１は本発明に係る水上ウォーキングステージシステムが実施された状態を示す概略設置図、図２は本発明に係る水上ウォーキングステージシステムを示す斜視図、図３および図４は本発明に係る水上ウォーキングステージシステムが設置された状態を示す概略平面図である。
【００２０】
図５〜図７は本発明に係る水上ウォーキングステージシステムの主要部に対する細部断面図をそれぞれ示す。具体的に、図５は本発明に係る水上ウォーキングステージシステムの一部分を示す側断面図、図６は本発明に係る水上ウォーキングステージシステムの一実施例を示す横断面図、図７は本発明に係る水上ウォーキングステージシステムの他の実施例を示す横断面図である。
【００２１】
また、図８〜図１３は水上ウォーキングステージシステムの多様な形態別例示図を示す。具体的に、図８は本発明に係る水上ウォーキングシステムの「Ｕ」字状の実施例を示す平面図、図９は本発明に係る水上ウォーキングステージシステムの半楕円形の実施例を示す平面図、図１０は本発明に係る水上ウォーキングステージシステムの半円形の実施例を示す平面図、図１１は本発明に係る水上ウォーキングステージシステムの四角形の実施例を示す平面図、図１２は本発明に係る水上ウォーキングステージシステムの楕円形の実施例を示す平面図、図１３は本発明に係る水上ウォーキングステージシステムの円形の実施例を示す平面図である。
【００２２】
図１４および図１５は水上ウォーキングステージシステムの作動構成を示す。具体的に、図１４は本発明に係る水上ウォーキングステージシステムに対する制御構成図、図１５は本発明に係る水上ウォーキングステージシステムに対する制御流れ図である。
【００２３】
図１〜図１６に示すように、本発明に係る水上ウォーキングステージシステムＡは、水面２に浮遊する両方の浮遊体１０、１０’、両方の前記浮遊体１０、１０’の下部に連結されて足踏み板をなすウォーキングステージ２０、および前記ウォーキングステージ２０の両側と両方の前記浮遊体１０、１０’とを連結する欄干部３０、３０’とを含んでなる。
【００２４】
このため、このような水上ウォーキングステージシステムＡは、海浜の海水、川岸または湖岸の水中に一部が浸かって設置でき、また、錨が設置される場合には海岸から離れて設置でき、穏やかな湖の中にも設置できる。よって、前記ウォーキングステージ２０は、水面に浮遊する前記浮遊体１０、１０’によって、水面下の水中に浸かって位置するように支持される。
【００２５】
また、ウォーキングステージ２０、浮遊体１０、１０’および欄干部３０、３０’からなる水上ウォーキングステージシステムＡは、一辺の長さを小さくは数メートルにして、川岸または湖岸などに小型で設置できる。また、一辺の長さを数十メートルにした場合には大きい湖、大きい川の一側などに設置できるが、小さい海岸の海辺にも設置できる。ひいては、一辺の長さを１００ｍ以上数百メートル以内にした大型の場合には大きい海辺に設置できる。
【００２６】
特に、このように大きい海辺などに大型で設置される場合には、ウォーキングステージ２０、浮遊体１０、１０’、および欄干部３０、３０’などの材質をさらに堅固にし、波に耐えられるように形成する上、使用者だけでなく車椅子、電動車椅子またはカートなども利用できるようにする。そして、安全のために監視システムが構成でき、錨などの海岸施設物が設置できる。勿論、利用者の安全のために、いたる所に救命施設および救命要員が配置でき、安全を知らせる構造物が一緒に設置できる。
【００２７】
ウォーキングステージ２０は、水面下に浸かる深さが略１ｍ内外となるようにするが、通常成人が安全に歩くことができる程度の深さであれば構わない。また、子供用に製作される場合には、成人用のものより多少低く設置されるが、略５０ｃｍ程度内外の深さが好ましい。
【００２８】
このようなウォーキングステージ２０は、網目が細かい網体、円形棒、楕円形棒または四角形棒が並列配列で連結される棒状結合体などで形成でき、多くの網目を介して水が自由に通過することにより、安定な形態が維持できる。
【００２９】
また、ウォーキングステージ２０は板体で形成できる。このように板体で形成される場合には、水中に浸かっているウォーキングステージ２０の上面を容易に歩くことができる。さらに、板体状のウォーキングステージ２０上を車椅子、電動車椅子またはカートなどが通ることができる。このような場合、車椅子、電動車椅子、カートなどは海水または水分に対して耐腐食性を持つように構成されることが好ましい。したがって、ウォーキングステージ２０の各板体は、長さは略１〜５ｍ程度内外、幅は略２０ｃｍ〜数メートルとなるように構成でき、その形態も長方形の形状を示しているが、これに限定されない。その他の長さ、幅、厚さおよび形態が構造的に安定するように形成されながら、材質の多様性によってさらに様々な方式で構成できるのは当たり前である。また、形態に対しても、設置安定性および材質などによって長方形の形状だけでなく、円弧形、楕円弧形、三角形、多角形、および多様なキャラクターを連想することが可能な形状などに様々に形成できる。
【００３０】
板体の形状にウォーキングステージ２０が形成される場合には、図７および図８に示すように、単一層の板体から形成されてもよく、図６に示すように、複数層にして形成されてもよい。単一層に形成される場合には、欄干部３０、３０’の多数の柱３１に個別板体が固着されるようにし、各板体はロープやワイヤーなどの連結手段によって互いに連結されるようにする。また、複数層にして形成される場合には、上部層の板体と下部層の板体が互いにずれて個別柱３１に固定されるように設置され、それぞれの板体は互いにずれて個別柱に反対側の縁部が固定される構造を持つ。その他の多様な形態の実施方式で板体としてのウォーキングステージ２０が形成できるが、これらの例に限定されない。
【００３１】
また、このような本発明に係る水上ウォーキングステージシステムＡは、図２〜図８に示すように、前記浮遊体１０、１０’が発泡樹脂材、または気体収容空間部１１１の浮力部材からなるように構成される。
【００３２】
したがって、このような両方の浮遊体１０、１０’の浮力によってウォーキングステージ２０および欄干部３０が沈まず、水中で一定の深さを維持する。
【００３３】
浮遊体１０、１０’が気体収容空間部１１１とケース１１からなる場合には、内部に水分を感知する水分感知センサーｗが一緒に備えられてもよい。このような水分感知センサーｗは、ケース１１が外力によって破損しあるいはケース１１に亀裂が入っている場合、水分が空間部１１１に浸透すると、このような水分を感知するように構成される。このような水分感知センサーｗの構成は、一般な水分感知センサーが適用できる。すなわち、水分がないときと水分が含まれたときの水分感知センサーｗで測定される電流値や光学特性などを用いて水分浸透有無を感知することができる。
【００３４】
このような前記浮遊体１０、１０’は、図示の如く、本発明に係る水上ウォーキングステージシステム全体に取り囲まれて構成されるもので、水上ウォーキングステージシステムＡの全体構造が乱れないように安定して連結する構成である。
【００３５】
このために、浮遊体１０、１０’の内部には安全連結体１３が内部材として備えられる。このような安全連結体１３は、鉄筋、金属棒、合金棒などから構成できる。また、多数の金属線を撚って作った撚線形態のワイヤーで構成できる。このような安全連結体１３は多数の回線が一緒に構成されてもよい。また、図２に示すように、このような安全連結体１３の端部が連なって、地面３に固定されている固定棒４に縛られて設置できる。したがって、錨と共に固定棒４に設置される本発明の水上ウォーキングステージシステムＡは、波、満ち潮、引き潮などからも安定な状態を維持する。
【００３６】
浮遊体１０、１０’は、図２および図４などに示すように、安全連結体１３の全長にわたって均一な厚さで取り囲むようにし、横断面が円形、四角形、楕円形、多角形の形状などに形成できる。また、 浮遊体１０、１０’は、図３に示すように、安全連結体１３を取り囲むように互いに連結される多数の個別外体で構成されてもよい。特に、安全連結体１３を取り囲む多数の個別外体から構成される場合には、互いに分離および結合が容易となるように構成できる。よって、浮遊体１０、１０’だけでなくウォーキングステージ２０および欄干部３０、３０’なども分離可能に構成すると、本発明に係る水上ウォーキングステージシステムＡを、使用時には水上に設置し、非使用時には分解して保管するようにするなど、使用し易いように構成することができる。
【００３７】
また、図３に示すように、水上ウォーキングステージシステムＡの全体形状を四角形、三角形または多角形などの形状に形成する場合には、各辺の浮遊体１０、１０’、ウォーキングステージ２０および欄干部３０、３０’を個別部材にして構成することができ、このような場合、個別部材を、設置のときには組み立て、保管および移動のときには分解して、使用上の便利性を持つように構成することができる。
【００３８】
また、前記浮遊体１０、１０’の一側には取っ手部１２、１２’が備えられる。図５、図７および図８に示すように、使用者は取っ手部１２、１２’を掴みながら容易に水中を歩くことができる。こうして使用者の頭部、上体、腕などは水面２の上に位置し、水中には胴体、足などが位置する。使用者は水面上の取っ手部１２、１２’を掴みながら水中のウォーキングステージ２０の上を歩くことができるように構成される。
【００３９】
また、両方の前記欄干部３０、３０’は網体または多孔の板体からなってもよい。ここで、網体または板体の多孔を介して、波、満ち潮、引き潮、川の流れなどによって流れる水が容易に通ることができるように備えられることが好ましい。このような欄干部３０、３０’には多数の柱３１が形成される。多数の柱３１によってウォーキングステージ２０が両方の浮遊体１０、１０’に支持される。また、欄干部３０、３０’の柱３１によって錨などの海上設置物と浮遊体１０、１０’とを連結し、これによる固定力によって水上ウォーキングステージシステムＡの全体構造が安定的に維持される。
【００４０】
設置される浮遊体１０、１０’、ウォーキングステージ２０、および欄干部３０、３０’などの荷重によって水上ウォーキングステージシステムＡの荷重が重くなる場合には、該当箇所に応じて浮力部材が付加されて設置できる。このような浮力部材は、発泡スチロールなどの発泡部材によって形成されてもよく、空気、ガスなどの気体が入るチューブタイプにして形成されてもよい。
【００４１】
また、本発明に係る水上ウォーキングステージシステムＡは、図４に示すように、多数の箇所に安全要員のための安全区域１５が設置できる。このような安全区域１５は、欄干部３０、３０’または浮遊体１０、１０’に固定されて設置でき、発泡部材またはチューブタイプで構成できる。
【００４２】
このように構成される本発明に係る水上ウォーキングステージシステムＡは、図９〜図１４に示すように、多様な形状に構成できる。
【００４３】
すなわち、図９〜図１１に示すように、一側が開放される四角形などの多角形、半楕円形および半円形の形状などに形成できる。また、図１２〜図１４に示すように、開放されていない四角形などの多角形、楕円形、円形などの多様な形状にも形成できる。
【００４４】
このため、図９〜図１１に示すように、一側が開放される形状に形成される場合には、開放される側の方向に使用者が出入りすることが可能な出入り口が設けられてもよい。そして、図１２〜図１４に示すように、開放されていない形状に形成される場合には、一辺に出入り口１６が設けられてもよい。
【００４５】
また、このような本発明に係る水上ウォーキングステージシステムＡは、海浜、川岸などに固定されて設置できる。この場合、出入り口は地面３と接するように構成され、その他の部分は水面および水中に位置するように構成される。前述したように、使用者が取っ手部１２、１２’を掴みながらウォーキングステージ２０に沿って歩くと、徐々に水中に身が浸かることになる。
【００４６】
また、使用者が水上ウォーキングステージシステムＡへの搭乗を完了すると、安全な状態にして海辺から数メートル、数十メートルまたは数百メートルの海岸付近に引き揚げ、移動させて固定させることにより、海上で水中活動を楽しめるように構成できる。
【００４７】
このために、水上ウォーキングステージシステムＡの一側に引き揚げのための連結部位（図示せず）が設置されてもよく、図１２に示すように両側に推進部２２が設置され、一側に形成されるメインコントローラ部４０によって作動するように構成されてもよい。
【００４８】
このように構成される本発明に係る水上ウォーキングステージシステムＡは、図４および図５に示すように、内側にレベル領域２５が形成されるように構成することができる。このようなレベル領域２５では使用者が水泳および水遊びを行うことができる。
【００４９】
また、このようなレベル領域２５は、底部にレベルプレート２５４が備えられる。本発明に係る水上ウォーキングステージシステムＡが安全に泳ぎ難い深い所に設置されたとしても、レベルプレート２５４の上部の水中で泳ぐため、安全に水泳を行うことができる。このようなレベル領域２５は、成人が泳ぐことが可能な深さ１ｍ程度の第１レベル領域２５１と、子供が泳ぐことが可能な深さ５０ｃｍ程度の第２レベル領域２５２などに分けて構成することも可能である。
【００５０】
また、使用者が多い場合に備えて荷重を支えるために、レベルプレート２５４の一側には浮力部材２５３がさらに構成できる。このような浮力部材２５３は、発泡材で構成でき、あるいは気体入りのチューブタイプで構成できる。また、レベルプレート２５４を支える浮力部材２５３、またはウォーキングステージ２０を支える浮力部材のうち、気体入りの浮力部材は、メインコントローラ部４０の制御に基づいて、使用者数の変化による全体荷重の変化に備えるように当該箇所別に気体を供給または除去することにより、ウォーキングステージ２０およびレベルプレート２５４の深さが一定となるように構成できる。このために、空気供給ポンプ、空気圧縮ポンプ、空気供給管およびセンサーなどがさらに備えられてもよい。
【００５１】
このようなメインコントローラ部４０は、本発明に係る水上ウォーキングステージシステムＡの安全状態および非常状態に応じて作動するように構成できる。
【００５２】
このようなメインコントローラ部４０は、図１５に示すように、安全点検信号処理ブロック４２、非常告知信号処理ブロック４３、入出力信号処理ブロック４４、および水上ウォーキングステージシステムＡの部材を制御する主制御部４１を含んでなる。
【００５３】
すなわち、前記浮遊体１０、１０’、前記欄干部３０、３０’または前記ウォーキングステージ２０の少なくとも一つには、前記浮遊体１０、１０’、前記欄干部３０、３０’または前記ウォーキングステージ２０の破損を感知する構造安全感知部材５０が設置される。前記構造安全感知部材５０には、前記浮遊体１０、１０’、前記欄干部３０、３０’または前記ウォーキングステージ２０の状態を判別して作動するメインコントローラ部４０が連結される。
【００５４】
このような構造安全感知部材５０は、連続的に取り囲まれる形状に、浮遊体１０、１０’、欄干部３０、３０’およびウォーキングステージ２０に沿って連続的に形成される安全ループ回線５１を含んで構成できる。
【００５５】
このような安全ループ回線５１は、超音波送受信可能に構成でき、あるいは光信号が送受信されるようにするループセンサーとして構成できる。このようなループセンサーによる送受信方式は、一般なループセンサーの送受信方式によって構成できる。すなわち、安全ループ回線５１の両方の信号発信機（図示せず）からそれぞれ信号を発信し、相手の両方に信号が正常受信されると、回線が損傷していない正常状態である。ところが、相手側に相手の発信信号が受信されないと、非常状態であり、メインコントローラ部４０では非常状態として判別する。この際、両方の信号発信機では自分が発信した信号をさらに受信する。この際、受信する超音波または光信号を分析し、切断された部分の位置を判別する。
【００５６】
また、このような安全ループ回線５１には数十センチメートル、数メートルまたは数十メートルの間隔でポイントセンサーｄが連結されるように構成できる。よって、両方に相手の発信信号が受信されないと、ポイントセンサーｄを探知して両方からそれぞれ探知されるポイントセンサーｄの位置を把握し、切断された位置を判別する。
【００５７】
また、このような構造安全感知部材５０は、図８に示すように、浮遊体１０、１０’の空間部１１１の内部に構成される水分感知センサー２を含むことができる。前記ポイントセンサーｄおよび安全ループ回線５１は、浮遊体１０、１０’、ウォーキングステージ２０または欄干部３０、３０’の毀損を判別するために提供できる。また、水分感知センサーｗは、浮遊体１０、１０’にクラックまたは割れ目が発生して浮遊体の外体が損傷した場合、浮遊体１０、１０’の内部に浸透する水分があるか否かを判別するもので、堅く全体を連結している安全連結体１３が損傷していない状態で、予め浮遊体１０、１０’の破損有無を判別することができるように構成される。
【００５８】
これに加えて、取っ手部１２、１２’、浮遊体１０、１０’、安全区域１５およびレベル領域２５などの多数の箇所には、非常信号を発生するための非常ボタンｓが設置できる。よって、使用者がウォーキングステージ２０を歩く途中またはレベル領域２５で水泳および水遊びをする途中で、救急患者の発生、水遊び事故の発生、あるいは水上ウォーキングステージシステムＡの損傷発見などといった緊急な状況が発生すると、使用者が非常ボタンｓを押して緊急状況を知らせるように構成される。
【００５９】
このように安全ループ回線５１、ポイントセンサーｄ、水分感知センサーｗまたは非常ボタンｓなどの構造安全感知部材５０は、単一回線で構成されてもよく、個別的に多数の回線で構成されてもよいもので、両方の浮遊体１０、１０’に個別設置されてもよく、ウォーキングステージ２０の両側に個別回線として設置されてもよい。また、各部材別に個別の回線で構成されてもよい。
【００６０】
このような構造安全感知部材５０からの信号は、前記メインコントローラ部４０の安全点検信号処理ブロック４２を介して伝送される。したがって、メインコントローラ部４０は、前記構造安全感知部材５０に連結され、感知信号を受信する安全点検信号処理ブロック４２から伝送される信号を判別して、非常状態か否かを判別する。
【００６１】
このため、正常信号の場合には次の信号を待機する。ところが、浮遊体１０、１０’、ウォーキングステージ２０または欄干部３０、３０’などの損傷を感知して非常状態として判別すると、非常告知信号処理ブロック４２を介して非常照明５２またはスピーカ５３へ非常信号を伝送する。
【００６２】
また、入出力信号を処理する入出力信号処理ブロック４４では、入出力端子４４１を介して連結される外部機関へ非常状態に対する非常信号を発信する。このような外部機関は、海岸施設物を管理する管理室、水上ウォーキングステージシステムＡおよび海岸の水遊び事故に備える救助隊、警察、病院、消防署などから構成できる。
【００６３】
このように構成される本発明に係る水上ウォーキングステージシステムＡは、下記の段階を含んで制御できる。
【００６４】
１）先ず、浮遊体１０、１０’、ウォーキングステージ２０および欄干部３０、３０’を含む水上ウォーキングステージシステムを水上に設置し、前記水上ウォーキングステージシステムの一側に構造安全感知部材５０を設置し、メインコントローラ部４０に連結してシステム作動を準備するシステム作動準備段階Ｓ０１を行う。このような水上ウォーキングステージシステムＡは、レベル領域２５、安全区域１５、非常照明５２、スピーカ５３、推進部２２、空気供給装置なども選択的に含むことができる。また、夜間施設を照明するためのサーチライト５４を作動させるサーチライトブロック４５を備えることもできる。
【００６５】
このようなシステム作動準備段階Ｓ０１は、設置された浮遊体１０、１０’、ウォーキングステージ２０、欄干部３０およびその他の部材に連結される各センサーの正常状態の初期値の入力を受けてメモリ部４０１に記憶し、このような初期値を基準にして非常状態か否かを判別する。すなわち、構造安全感知部材５０の安全ループ回線５１の場合には、両方の信号発信機から発信する信号が相手の方で正常的に受信されるか否かに基づいて初期値を設定する。また、ポイントセンサーｄの場合には、個別センサーから応答信号が正常的に受信されるか否かに基づいて初期値を設定する。そして、水分感知センサーｗの場合には、水分がないときの測定値を初期値として設定し、水分による測定値を初期値として設定する。この際、海の場合には海水による測定値を初期値として設定し、川、湖などの淡水の場合には該当地域の水による測定値を初期値として設定する。
【００６６】
また、非常ボタンｓの場合には、押圧作動により非常信号が受信されるので、押圧されていない状態で測定した値を初期値として設定する。他の部材の場合も、設置されて利用する前の状態を初期値として設定する。これらの初期値はメモリ部４０１に記憶される。
【００６７】
２）前記水上ウォーキングステージシステムＡが作動するとき、前記構造安全感知部材５０から伝送される信号を安全点検信号処理ブロック４２を介して受信するセンサー信号受信段階Ｓ０２を行う。
【００６８】
３）したがって、前記安全点検信号処理ブロック４２から受信した信号を判別し、前記構造安全感知部材５０から伝送された信号が正常信号なのか否かを判別するセンサー信号判別段階Ｓ０３を行い、これにより水上ウォーキングステージシステムＡの正常作動有無を判別する。
【００６９】
４）これにより、前記センサー信号判別段階Ｓ０３によって判別された信号が非常信号として判別される場合、前記非常告知信号処理ブロック４３へ非常信号を伝送して非常照明５２およびスピーカ５３を介して非常状態を知らせるようにする非常信号発信段階Ｓ０４を行う。したがって、非常照明５２およびスピーカ５３のため、利用者は非常状態に安全に備えることができ、救助要員は該当非常状態に応じて適切に対処する。
【００７０】
ひいては、このような非常状態では、メインコントローラ部４０の制御に基づいて、入出力端子４４１に連結される警察署、消防署、病院などの外部機関、および施設部の管理を行う管理室などに非常信号を伝送し、応急状況に適切に対処する。
【００７１】
以上、本発明の好適な実施例を参照して説明したが、本発明の属する技術分野における通常の知識を有する者によって、特許請求の範囲に記載された本発明の思想および領域から逸脱することなく、本発明を様々に修正および変形して実施することができる。
【図１】
2011508702.tif 000003
【図２】
2011508702.tif 000004
【図３】
2011508702.tif 000005
【図４】
2011508702.tif 000006
【図５】
2011508702.tif 000007
【図６】
2011508702.tif 000008
【図７】
2011508702.tif 000009
【図８】
2011508702.tif 000010
【図９】
2011508702.tif 000011
【図１０】
2011508702.tif 000012
【図１１】
2011508702.tif 000013
【図１２】
2011508702.tif 000014
【図１３】
2011508702.tif 000015
【図１４】
2011508702.tif 000016
【図１５】
2011508702.tif 000017
【図１６】
2011508702.tif 000018
【国際調査報告】
2011508702.tif 000019
2011508702.tif 000020
2011508702.tif 000021